(57)【要約】【課題】橋梁下の足場構築が効率的に行われるネット及びそのネットを使用した構築工法を提供する。【解決手段】規格化した大きさで、且つ裏面に複数の横枠管２を適宜間隔で装着し、各横枠管装着位置並びにネット体１前後端縁に連結用ハトメ口１２や足場板装着耳部１４を適宜間隔で並設した足場用ネット体（単位ネット体）Ａと、前記ネット体の一側に転落防止用ネット部３２を連設した側縁単位ネット体Ｂであり、また前記のネット（単位ネット）を組み合わせて構築対象の足場の幅及び長さに対応した全体ネットを地上で形成し、橋梁における橋桁下方において橋台間に架設した複数本のワイヤーロープに、横枠管部分を使用して前記ネットを吊り下げると共に展設し、両側の転落防止ネット部並びに足場ネットにおける横枠管の適宜箇所を、橋桁等に吊り下げ連結して足場を構築する。【選択図】  図３
2004176346.tif 000002
【特許請求の範囲】
【請求項１】
所定規格の幅及び長さに形成した足場ネット体の裏面に、複数の横枠管を適宜間隔で、且つ先端をネット体側縁より露出させた状態で装着すると共に、各横枠管装着位置並びにネット体前後端縁に連結用ハトメ口を適宜間隔で並設し、少なくともネット体の一側縁には、横枠管の前後において横枠管先端より突出する連結舌片部を連設してなることを特徴とする足場用ネット。
【請求項２】
ネット体上面の適宜位置に、足場板用の取付耳部を設けてなる請求項１記載の足場用ネット。
【請求項３】
足場ネット体の一側に、転落防止用ネット部を連設してなる請求項１又は２記載の足場用ネット。
【請求項４】
適宜な幅規格の請求項１又は２記載の単位ネット複数又は単数と、両側に配置する請求項３記載の側縁単位ネットを組み合わせて構築対象の足場の幅と対応させると共に、隣接する単位ネットを連結することで一体化して所定の前後長さの組ネットを形成し、更に前記組ネットを足場長さに対応して橋台長さに予め組み上げておいて、橋梁における橋桁下方の橋台間に架設した複数本のワイヤーロープに、横枠管位置のハトメ口から横枠管に連結した吊り下げ金具を組ネット上に突設させて組ネット全体を吊り下げて橋台間全体に足場ネットを張り渡し、両側の転落防止ネット部並びに足場ネットにおける横枠管の適宜箇所を、橋桁等に吊り下げ連結してなることを特徴とする足場構築工法。
【請求項５】
橋台間のワイヤーロープに吊り下げた足場ネット上に、足場板を載置連結してなる請求項４記載の足場構築工法。
【発明の詳細な説明】
【０００１】
【産業上の利用分野】
本発明は主として橋梁建築現場、橋桁の塗装、既存の橋梁の補修工事などにおいて、橋桁下方の橋台間に形成される作業床のための足場ネット及び足場構築工法に関するものである。
【０００２】
【従来の技術】
橋梁建築現場の橋桁下方に形成される作業足場は、上方の構造物に吊り下げて構築手段される。その具体的な例としてワイヤーブリッジ方式、パイプ吊り足場方式、パネル吊り足場方式などが知られている（特許文献１）。
【０００３】
またワイヤーブリッジを使用する具体的な足場構造としては、ワイヤーロープ上に横枠材を固定し、横枠材に手摺り支柱を付設し、横枠材上に網部材と歩行板部材を敷設した構造（特許文献２）や、横枠材となるプレート上に足場ネットを張り、足場ネット上に歩行板を載置し、足場ネット左右に転落防止用ネットを設け、上下に左右配置したワイヤーブリッジにおける上方ワイヤーに転落防止用ネットに固定したロープを吊り下げ連結し、下方ワイヤーをプレートに連結しているものが知られている（特許文献３）。
【０００４】
【特許文献１】
特開平１１−１３２７５号公報（０００２の欄、図１１）。
【特許文献２】
特開平７−２２９１１０号公報（図１）。
【特許文献３】
特許第３０６８６１号公報（図１、図６）。
【０００５】
【発明が解決しようとする課題】
ところで、橋台間の橋桁下にワイヤーロープを架設し、当該ワイヤーブリッジに足場を構築する構造として特許文献２記載の手段では、その構築手順について詳細な説明は無いが、当該構造から一旦ワイヤーブリッジに横枠材を固定連結していきながら、足場桁を構築し、しかる後ネット張着及び歩行板の設置となっていると推測され、横枠材の吊り下げ固定を順次行いながらのネット張り作業となり、非常に作業能率が悪いと認められる。
【０００６】
また特許文献３記載の足場構築手順は、足場部材をワイヤーブリッジの一端側で全て組み込んで、上方ワイヤーロープに吊り下げて引っ張るようにしている（００１３に記載）。確かに構築作業能率は良いが、上下４本のロープで吊り下げ支持することになり、幅広の橋梁下作業においては、強度的に問題があり、幅広橋梁対策として複数のワイヤーロープを平行架設したワイヤーブリッジには対応できない。
【０００７】
更に前記の特許文献３記載の足場における橋梁幅対策として、ネット及びプレート（横枠材）を一体に連結して所定の幅に形成しているが、両端のワイヤーロープ間の横梁（プレート）には十分な強度が要求されることになる。
【０００８】
そこで本発明は、橋台間に所定の間隔で架設した複数のワイヤーブリッジに対応して、ネット幅の調整が容易であり、且つ足場幅が広くなっても一定強度の足場横梁を備えることで足場構築作業が容易となる足場用ネット及び足場構築工法を提案したものである。
【０００９】
【課題を解決する手段】
本発明に係る足場ネットは、所定規格の幅及び長さに形成した足場ネット体の裏面に、複数の横枠管を適宜間隔で、且つ先端をネット体側縁より露出させた状態で装着すると共に、各横枠管装着位置並びにネット体前後端縁に連結用ハトメ口を適宜間隔で並設し、少なくともネット体の一側縁には、横枠管の前後において横枠管先端より突出する連結舌片部を連設してなることを特徴とするものである。また特に前記足場用ネットのネット体上面の適宜位置に、足場板用の取付耳部を設けたり、足場ネット体の一側に、転落防止用ネット部を連設してなることを特徴としたものである。
【００１０】
また本発明に係る足場構築工法は、適宜な幅規格の請求項１又は２記載の単位ネット複数又は単数と、両側に配置する請求項３記載の側縁単位ネットを組み合わせて構築対象の足場の幅と対応させると共に、隣接する単位ネットを連結することで一体化して所定の前後長さの組ネットを形成し、更に前記組ネットを足場長さ（橋台間長）に予め組み上げておいて、橋梁における橋桁下方の橋台間に架設した複数本のワイヤーロープに、横枠管位置のハトメ口から横枠管に連結した吊り下げ金具を組ネット上に突設させて組ネット全体をワイヤーロープに吊り下げて橋台間全体に足場ネットを張り渡し、両側の転落防止ネット部並びに足場ネットにおける横枠管の適宜箇所を、橋桁等に吊り下げ連結してなることを特徴とするものである。
【００１１】
従って単位ネットの組み合わせによって、横枠管を組み込んだ状態で橋梁の幅や長さに対応でき、一気にワイヤーロープに足場ネットを吊り下げ状態で展設し、足場板の組み込みや吊り下げチェーンの装着作業が、ネット吊り下げ作業の進行に合わせる必要が無く、一斉に作業ができるので、ワイヤーブリッジ方式の足場の構築作業能率が著しく向上する。
【００１２】
【実施の形態】
次に本発明の実施の形態について説明する。本発明の足場ネットは、複数の規格幅とした単位ネットＡと、側縁単位ネットＢからなる。
【００１３】
単位ネットＡは、ネット体１と、横枠管２とを備えてなり、ネット体１は、適宜定めた規格（前後長さが３６０ｃｍや１８０ｃｍ、幅を４８０，３６０、２４０、１２０ｃｍ）の大きさで、前後一定間隔で（例えば９０ｃｍ間隔）で裏面に横枠管２を装着するものである。
【００１４】
横枠管２の装着手段は、ネット体１の裏面の所定箇所に、横枠管２の挿通リングとなる受け部１１を設けておくと、横枠管２の差込で直ぐにネット体１に横枠管２を装着できる。また前記の横枠管２は、装着時にネット体１の端縁より適宜長さ分突出させておく。
【００１５】
更にネット体１には、前記横枠管２の装着位置と、ネット体１の前後端縁に連結用ハトメ口１２を適宜間隔で並設する。またネット体１の一側縁においては、横枠管２が露出し、且つ横枠管２の前後で横枠管先端より突出する連結舌片部１３を連設してなる。またネット体１の上面適宜位置に、所定間隔（規格間隔）で足場板Ｅの装着耳部（リング状の引掛け部を備えている）１４を設けてなる。
【００１６】
側縁単位ネットＢは、ネット体３と横枠管４とで構成されるが、ネット体３は、単位ネットＡのネット体１と同様な前後長さ及び幅を備えた足場ネット部３１と、転落防止用ネット部３２を連設したもので、足場ネット部３１には、前記単位ネットＡと同様に横枠管４を装着してなり、所定箇所にハトメ口及び足場板装着耳部を設けてなる。更に転落防止用ネット部３２の外周縁に、所定間隔でハトメ口を設けてなる。
【００１７】
次に、前記単位ネットＡ及び側縁単位ネットＢを使用して足場を構築する工法について説明する。
【００１８】
足場を構築する対象は、橋梁下方において適宜な桁下高さを確保でき、且つ橋台Ｃ間にワイヤーブリッジを構築できる現場である。
【００１９】
足場構築は、最初に橋梁の幅に対応して平行に複数のワイヤーロープＤを橋台Ｃ間に架設する。次に当該橋梁の幅に対応して、単位ネットＡと単位側縁ネットＢを組み合わせて、組ネットを形成する。即ち隣接する単位ネットＡ及び側縁単位ネットＢ間において、連結用舌片部１３を重ね合わせて、紐Ｆ等で縫合連結する。従って橋梁の幅が広くても狭くても、各規格幅の単位ネットＡを組み合わせることで如何様にも対応できるものである。
【００２０】
更に前記の組ネットを橋梁長さ（橋台間隔）に対応して順次ハトメ口１２を使用して連結し、足場ネット全体を地上（現場や工場）で組み上げ、適宜に折り畳む。この足場ネットをワイヤーロープＤに吊り下げるもので、ワイヤーロープＤへの吊り下げは、横枠管２，４の所定位置に固定し、且つハトメ口１２よりネット体１の上方に突出させた連結金具（クランプ金具）Ｇに、カラビナＨで連結吊り下げを行うものである。
【００２１】
そして折り畳んだ足場ネット全体を、ワイヤーロープＤに吊り下げ、一気に対岸の橋台Ｄまで展開する。この展開状態で足場ネットは十分に作業足場としての役目（強度的には充分である）を果たすので、次に作業足場としての環境を整える構築作業を行う。
【００２２】
即ち転落防止用ネット部３２の吊り下げや、横枠管２，４の吊り下げを行う。吊り下げ基点は、鉄骨橋桁Ｉに設けている連結部（透孔や溶接リング体）や、ＲＣ橋桁Ｉ１に設けた連結部（アンカー体Ｉ２や、桁間に差し渡したバタ角Ｉ３）として、吊り下げチェーンＪ等を使用し、吊り下げ連結する。特に前記作業は、既にワイヤーロープＤに吊り下げ保持されている足場ネット上で行うため、橋台間のワイヤーブリッジ構築が効率的に行われることになる。
【００２３】
更に足場ネット上に足場板Ｅを載置し、装着耳部１４にゴムバンドＫを引っ掛けて足場板Ｅをネット上に安定させ、橋梁（補修）工事の仮設足場となる足場ネットを完成させるものである。
【００２４】
【発明の効果】
以上のとおり、本発明は規格化した大きさで、且つ裏面に複数の横枠管を適宜間隔で装着し、各横枠管装着位置並びにネット体前後端縁に連結用ハトメ口を適宜間隔で並設した足場用ネット体（単位ネット体）と、前記ネット体の一側に転落防止用ネット部を連設した側縁単位ネット体であり、また前記のネット（単位ネット）を組み合わせて構築対象の足場の幅と対応させると共に、隣接する単位ネットを連結することで組ネットを形成し、更に前記組ネットを足場長さに対応して橋台長さに予め組み上げておいて、橋梁における橋桁下方の橋台間に架設した複数本のワイヤーロープに、横枠管位置のハトメ口から横枠管に連結した吊り下げ金具を組ネット上に突設させ、ネット全体をワイヤーロープに吊り下げて橋台間全体に足場ネットを張り渡し、両側の転落防止ネット部並びに足場ネットにおける横枠管の適宜箇所を、橋桁等に吊り下げ連結してなる足場構築工法で、単位ネットの組み合わせによって橋梁の幅や長さに容易に対応でき、而も前記の組み上げを地上で行い、一気にワイヤーロープに足場ネットを吊り下げ状態で展設し、足場板の組み込みや吊り下げチェーンの装着作業が、ネット吊り下げ作業の進行に合わせる必要が無く一斉に作業することができ、仮設足場となる足場ネット構築の作業能率を著しく向上させたものである。
【図面の簡単な説明】
【図１】本発明の単位ネット要部説明図。
【図２】同単位ネットの平面図。
【図３】同組ネットの説明図。
【図４】同ワイヤーブリッジ（構築対象）の説明図。
【図５】同単位ネットの連結説明図。
【図６】同ワイヤーブリッジへの吊り下げ状態の説明図。
【図７】同橋桁への吊り下げ状態の説明図。
【図８】同足場板の固定状態の説明図。
【符号の説明】
Ａ        単位ネット
１        ネット体
１１      受け部
１２      連結用ハトメ口
１３      連結舌片部
１４      足場板連結耳部
２        横枠管
Ｂ        側縁単位ネット
３        ネット体
３１      足場ネット部
３２      転落防止用ネット部
４        横枠管
Ｃ        橋台
Ｄ        ワイヤーロープ
Ｅ        足場板
Ｆ        紐
Ｇ        連結金具
Ｈ        カラビナ
Ｉ        橋桁
Ｊ        吊り下げチェーン
Ｋ        ゴムバンド
【図１】
2004176346.tif 000003
【図２】
2004176346.tif 000004
【図３】
2004176346.tif 000005
【図４】
2004176346.tif 000006
【図５】
2004176346.tif 000007
【図６】
2004176346.tif 000008
【図７】
2004176346.tif 000009
【図８】
2004176346.tif 000010